(57)【要約】      （修正有）【課題】利便性の高い梱包体を提供する。【解決手段】梱包体は、パレット１１と、複数の被梱包物１２と、フィルム１３と、を備える。被梱包物は、パレットに倒した状態で積載される円柱状の複数の被梱包物は、長手方向を揃えて積み上げられる。フィルムは、帯状である。複数の被梱包物は、水平方向に２つ以上の被梱包物を並列させた並列群２１〜２５を複数構成しており、複数の並列群は、１回以上折り返されたフィルムを間に挟みつつ上下に積層されている。フィルムのうち、１つの並列群の上側に配置される上側部分と下側に配置される下側部分とを連接する折り返し部３７は、当該並列群における長手方向と交差する交差方向の端部に位置する被梱包物の外周面に沿って配置されている。【選択図】図２
0003226523.tif 000002
【実用新案登録請求の範囲】
【請求項１】
梱包体であって、
パレットと、
前記パレットに倒した状態で積載される円柱状の複数の被梱包物であって、長手方向を揃えて積み上げられる複数の被梱包物と、
帯状のフィルムと、
を備え、
前記複数の被梱包物は、水平方向に２つ以上の前記被梱包物を並列させた並列群を複数構成しており、複数の前記並列群は、１回以上折り返された前記フィルムを間に挟みつつ上下に積層されており、
前記フィルムのうち、１つの前記並列群の上側に配置される上側部分と下側に配置される下側部分とを連接する折り返し部は、当該並列群における前記長手方向と交差する交差方向の端部に位置する前記被梱包物の外周面に沿って配置されている、梱包体。
【請求項２】
請求項１に記載の梱包体であって、
上下に並ぶ２つの前記並列群に対応する２つの前記折り返し部は、前記交差方向に関して異なる方向の端部に配置されている、梱包体。
【請求項３】
請求項１又は請求項２に記載の梱包体であって、
前記複数の被梱包物のうち、上端部が最も上方に位置する被梱包物は、最も上方に位置する前記並列群を構成する前記被梱包物のうちの少なくとも１つである、梱包体。
【請求項４】
請求項１から請求項３のいずれか１項に記載の梱包体であって、
複数の前記並列群の側面を全周に亘って覆う被覆部を備える、梱包体。
【請求項５】
請求項４に記載の梱包体であって、
前記被覆部は、前記フィルムと連続的に繋がっている、梱包体。
【請求項６】
請求項１から請求項５のいずれか１項に記載の梱包体であって、
少なくとも下から２番目よりも上に位置する前記並列群を構成する被梱包物のうち、外周面に沿って前記折り返し部が配置されている前記被梱包物は、少なくともその一部分が、該被梱包物の１つ下方の前記並列群よりも前記交差方向の外側に位置している、梱包体。
【請求項７】
請求項１から請求項６のいずれか１項に記載の梱包体であって、
最も下方に位置する前記並列群の下側に配置される前記フィルムにおける前記交差方向のうち一方の端部は、当該並列群を構成する前記被梱包物のうちの前記一方の端部に位置する前記被梱包物に巻きつけられている、梱包体。
【考案の詳細な説明】
【技術分野】
【０００１】
本考案は、円柱状の被梱包物を梱包した梱包体に関する。
【背景技術】
【０００２】
円柱状の物品を多数同時に搬送する場合、転がりを防止するために、物品同士の固定が必要になる。そこで、例えば、特許文献１に示されるように隣接する物品同士をロープで８の字状に括ったり、又は、積上げる段ごとに長手方向を変更し、いわゆる井桁状に積上げたりすることが行われている。
【先行技術文献】
【特許文献】
【０００３】
【特許文献１】特許第５４２５３４５号公報
【考案の概要】
【考案が解決しようとする課題】
【０００４】
しかしながら、特許文献１の梱包体は、円柱状の被梱包物の重量が大きい場合や、梱包体ごとに被梱包物の数や大きさが異なる場合には、手作業では梱包体作成の作業負担が非常に大きく、また自動化も困難であり、適用が困難な場面がある。また、井桁状に積上げる場合、梱包体の大きさは、前後方向及び左右方向の両方について少なくとも被梱包物の長さが必要になる。そのため、被梱包物が同じ向きに並列して配置される場合に比べて、搬送や格納に必要な広さが大きくなってしまうという問題があった。
【０００５】
本考案の目的は、利便性の高い梱包体を提供することである。
【課題を解決するための手段】
【０００６】
本開示の一態様は、梱包体であって、パレットと、複数の被梱包物と、フィルムと、を備える。被梱包物は、パレットに倒した状態で積載される円柱状の複数の被梱包物であって、長手方向を揃えて積み上げられる。フィルムは、帯状である。複数の被梱包物は、水平方向に２つ以上の被梱包物を並列させた並列群を複数構成しており、複数の並列群は、１回以上折り返されたフィルムを間に挟みつつ上下に積層されている。フィルムのうち、１つの並列群の上側に配置される上側部分と下側に配置される下側部分とを連接する折り返し部は、当該並列群における長手方向と交差する交差方向の端部に位置する被梱包物の外周面に沿って配置されている。
【０００７】
このように構成された梱包体は、複数の被梱包物を、パレット上で長手方向を揃えて積上げる。そのため、井桁状に積上げた場合と比較して、幅方向の長さを長手方向の長さより小さくすることが可能となり、梱包体をコンパクトにすることができる。また帯状のフィルムの折り返し部によって並列群の端部が覆われているため、並列群を構成する被梱包物が外側に移動してしまうことを抑制でき、長手方向を揃えて積上げた被梱包物が崩れてしまうことを抑制できる。また、被梱包物の一つ一つにフィルムを巻きつける必要がないので、比較的簡便に梱包体を作成できる。以上のことから、上記梱包体は、高い利便性を有する。
【０００８】
上述した梱包体において、上下に並ぶ２つの並列群に対応する２つの折り返し部は、交差方向に関して異なる方向の端部に配置されていてもよい。このように構成された梱包体は、フィルムをいわゆるつづら折状に配置することができるため、フィルムを効率よく利用することができる。
【０００９】
上述した梱包体において、複数の被梱包物のうち、上端部が最も上方に位置する被梱包物は、最も上方に位置する並列群を構成する被梱包物のうちの少なくとも１つであってもよい。このように構成された梱包体は、並列群が最も上方に位置するため、並列群の上にさらに別の物品を配置することができる。したがって、搬送時にスペースを効率よく利用することができる。
【００１０】
上述した梱包体において、複数の並列群の側面を全周に亘って覆う被覆部を備えてもよい。このように構成された梱包体は、被覆部によって、複数の被梱包物の荷崩れを高度に抑制することができる。
【００１１】
上述した梱包体において、被覆部は、フィルムと連続的に繋がっていてもよい。このように構成された梱包体は、複数の並列群の間に配置されるフィルムと同じフィルムを用いて複数の被梱包物を覆うことができるため、部品点数の削減を図ることができる。
【００１２】
上述した梱包体において、少なくとも下から２番目よりも上に位置する並列群を構成する被梱包物のうち、外周面に沿って折り返し部が配置されている被梱包物は、少なくともその一部分が、その被梱包物の１つ下方の並列群よりも交差方向の外側に位置していてもよい。このように構成された梱包体は、折り返し部が支えることによって、下方の並列群よりも上方の並列群を外側に配置することができる。そのため、上側に位置する並列群ほど含まれる被梱包物の数が減少してしまうことを抑制できる。
【００１３】
上述した梱包体において、最も下方に位置する並列群の下側に配置されるフィルムにおける交差方向のうち一方の端部は、当該並列群を構成する被梱包物のうちの一方の端部に位置する被梱包物に巻きつけられていてもよい。
【００１４】
このように構成された梱包体は、フィルムと、最も下段の並列群の端部を構成する被梱包物と、が連結されている。そのため、上記被梱包物の移動を制限できるため、最も下の並列群を構成する被梱包物が分離してしまうことを抑制できる。また、フィルムが複数の被梱包物から脱落してしまうことを抑制できる。
【図面の簡単な説明】
【００１５】
【図１】実施形態の梱包体を示す斜視図である。
【図２】実施形態の梱包体を示す模式的な正面図である。
【図３】サポート部材を示す模式図であって、図３Ａが正面図であり、図３Ｂが側面図である。
【図４】梱包体の製造手順を説明する斜視図である。
【図５】梱包体の製造手順を説明する斜視図である。
【図６】梱包体の製造手順を説明する模式的な正面図である。
【図７】梱包体の製造手順を説明する模式的な正面図である。
【図８】梱包体の製造手順を説明する斜視図である。
【図９】変形例の梱包体を示す模式的な正面図である。
【考案を実施するための形態】
【００１６】
［１．梱包体の構成］
梱包体１は、図１に示されるように、パレット１１と、複数の被梱包物１２と、フィルム１３と、被覆部１４と、を含む。この梱包体１は、パレット１１に積載される複数の被梱包物１２を、パレット１１ごと搬送可能に構成したものである。
【００１７】
以下の説明においては、上下，左右，前後などの方向を示す文言を用いて考案の構成を説明するが、あくまでも説明の便宜上用いるものに過ぎず、具体的な実施態様がその方向に限定されることはない。また以下の説明において、水平方向とは上下左右に広がる方向を意味するが、この方向についても同様に、具体的な実施態様がその方向に限定されることはない。
【００１８】
パレット１１は、物流に用いる一般的な荷役台である。一例として、幅１．１ｍ×長さ１．１ｍのパレットを用いることができる。もちろん、これ以外の大きさのパレットを用いてもよい。なお、パレット１１は、上面が略平面状に構成されており、荷物を載せることができれば、具体的な構成及び形状は特に限定されない。パレットは、例えば、ポリプロピレンやポリエチレンなどの合成樹脂により構成することができるが、木製のパレットなど、他の材質のパレットを用いてもよい。
【００１９】
複数の被梱包物１２は、いずれも円柱状の形状である。被梱包物の一例として反物が挙げられる。しかしながら、被梱包物は反物に限定されず、様々な物品を被梱包物として用いることができる。ここでいう円柱状とは、軸方向に長さを有し、軸方向と直交する平面による断面が円形である形状を意味する。しかし、断面は必ずしも真円形でなくてもよく、楕円や歪みがある円、又は厳密には断面が多角形であるが実質的に円柱のように見做すことができるものも含む。また断面形状が、長さ方向に関して変化していてもよい。また、被梱包物は、主たる部分として円柱状の部分を含んでいればよく、例えば一部分が円柱状の部分よりも細くなっていてもよい。
【００２０】
複数の被梱包物１２は、パレット１１に倒した状態で積載される。また複数の被梱包物１２は、長手方向を揃えて並列し、多層に積上げられている。
図２に示されるように、複数の被梱包物１２は、水平方向に２つ以上の被梱包物１２を並列させた複数の並列群を構成する。複数の並列群は、パレット１１側（すなわち、下側）から順に、第１並列群２１、第２並列群２２、第３並列群２３、第４並列群２４、第５並列群２５を含む。複数の並列群は、それぞれ、７つの被梱包物１２を含む。なお、並列群を構成する被梱包物１２の数はとくに限定されず（好ましくは３つ以上）、また、並列群ごとに異なる数の被梱包物１２を有していてもよい。
【００２１】
第１並列群２１〜第５並列群２５（以下、複数の並列群とも記載する）は、フィルム１３を間に挟みつつ上下に積層されている。フィルム１３は折り返されて複数の並列群の間に配置される。複数の被梱包物１２は、フィルム１３によって複数の並列群に区分されているとも言える。フィルム１３の折り返し回数は並列群の数により変化するが、少なくとも１回以上は折り返される。並列群の数は特に限定されないが、３つ以上積層することで、パレット１１上の空間を効率よく利用できる。
【００２２】
フィルム１３は、一方に長さを有する帯状であって、透過性がある。フィルム１３は、弾性を有するストレッチフィルムを用いることができる。一例として、幅５００ｍｍ、厚さ２３μｍであり、主材料がポリエチレンのフィルムを用いてもよい。もちろん、透過性を有さない材料を用いたり、ストレッチ性の低い材料を用いたりしてもよい。なお、厚さ２０μｍ以上のフィルムを用いることで、被梱包物１２が大きな重量を有する物であっても、梱包途上でのフィルム切れを高度に抑制できる。
【００２３】
フィルム１３は、複数の並列群の間と、第１並列群２１の下方と、第５並列群２５の上方と、に配置される。フィルム１３のうち、複数の並列群に沿って配置される部分を、下側から順に、第１部３１、第２部３２、第３部３３、第４部３４、第５部３５、及び第６部３６とする。
【００２４】
第１部３１は、最も下方に位置する第１並列群２１の下側に配置される。第１部３１における右方向の端部は、第１並列群２１を構成する被梱包物１２のうちの右端部に位置する被梱包物１２ａに巻きつけられている。ここでは、右方向が、交差方向のうち一方に相当する。
【００２５】
フィルム１３のうち、１つの並列群の上側に配置される上側部分と下側に配置される下側部分とは、折り返し部３７により連接される。折り返し部３７は、上述した並列群における、長手方向（前後方向）と交差する交差方向（左右方向）の端部に位置する被梱包物１２の外周面に沿って配置される。
【００２６】
具体的には、第１並列群２１に関して、第２部３２が上側部分に相当し、第１部３１が下側部分に相当する。また、第１部３１と第２部３２とを連接する折り返し部３７は、第１並列群２１の左端の被梱包物１２ｂの外周面に沿って配置される。また第２並列群２２に関して、第３部３３が上側部分に相当し、第２部３２が下側部分に相当する。また、第２部３２と第３部３３とを連接する折り返し部３７は、第２並列群２２の右端の被梱包物１２ｃの外周面に沿って配置される。第３並列群２３〜第５並列群２５についても同様である。なお図２に示されるように、上下に並ぶ２つの並列群に対応する２つの折り返し部３７は、交差方向に関して異なる方向の端部に配置されている。フィルム１３は、各並列群の端部に位置する被梱包物１２の側面で折り返すことで、第１部３１から第６部３６までが繋がっている。
【００２７】
被覆部１４は、ストレッチフィルムにより構成されており、図１に示されるように、パレット１１に積上げられた複数の並列群の側面を全周に亘って覆う。被覆部１４は、フィルム１３と連続的に繋がっている。具体的には、図覆部１４は、第５並列群２５に係る上側部分（第６部３６）の右端（図２参照）に繋がる。別の言い方をすると、フィルム１３と被覆部１４とは、１つの長尺状のストレッチフィルムを用いて構成されている。
【００２８】
被覆部１４は、当然ながらフィルム１３と同一の材料である。なお、フィルム１３と被覆部１４とは繋がっておらず、別個のものであってもよい。その場合、フィルム１３と被覆部１４とは異なる材料のフィルムを用いてもよい。
【００２９】
このように構成された梱包体１では、被梱包物１２ｃは、右側半分が、第１並列群２１よりも右側に位置している。同様に、第３並列群２３の左端の被梱包物１２ｄは、左側半分が、第２並列群２２よりも左側に位置している。また、第４並列群２４の右端の被梱包物１２ｅ、及び、第５並列群２５の左端の被梱包物１２ｆも同様である。つまり、少なくとも下から２番目よりも上に位置する並列群を構成する被梱包物１２のうち、外周面に沿って折り返し部３７が配置されている被梱包物１２は、少なくともその一部分が、該被梱包物１２の１つ下方の並列群よりも交差方向の外側に位置している。
【００３０】
また、梱包体１では、上端部が最も上方に位置する被梱包物１２は、第５並列群２５を構成する被梱包物１２である。つまり、第５並列群２５よりも上側には並列群を構成しない被梱包物１２は存在しない。そのため、梱包体１の上部には突出した部分がないので、例えば隣接する被梱包物１２の間隔よりも底面が大きい荷物を上に置く場合などには、梱包体１の上面はフラットな面と同等の扱いが可能になる。
【００３１】
［２．梱包体の製造方法］
梱包体１を製造する方法を以下に説明する。梱包体１を製造する場合には、図３に示されるように、サポート部材６１を用いてもよい。サポート部材６１は、上方から見て矩形のベース６２と、ベース６２の四隅に配置される上下に延びる柱６３と、を有する。柱６３の左右方向の間隔は、パレット１１の左右の長さよりも大きい。また、柱６３の前後方向の間隔は、パレット１１の前後の長さよりも小さい。そのため、パレット１１を前後方向に移動させることで、パレット１１をベース６２の上方に配置可能である。このようなサポート部材６１としては、例えば、いわゆるラック付きパレットを用いることができる。その場合、ラック付きパレットにおけるパレットのサイズは、パレット１１と同じサイズであってもよい。
【００３２】
このようなサポート部材６１を用いることで、柱６３によって被梱包物１２の回転移動を抑制でき、作業の簡便化が可能となる。なお、梱包体１を製造する際に、サポート部材６１は必須ではない。以下の説明では、サポート部材６１の記載は省略する。
【００３３】
まず、図４に示されるように、ストレッチフィルムロール７１からフィルム１３を引き出し、被梱包物１２の長手方向の中央部に巻き付ける。この被梱包物１２は、第１並列群２１の端部に配置される被梱包物１２ａである。フィルム１３はパレット１１の上に広げる。
【００３４】
続いて、図５に示されるように、フィルム１３が巻きつけられた被梱包物１２ａと長手方向が揃うように、フィルム１３の上に６つの被梱包物１２を並べる。このようにして、第１並列群２１を構成する被梱包物１２が配置される。
【００３５】
続いて、図６に示されるように、フィルム１３を折り返し、矢印Ａの方向（右方向）にフィルム１３を強く引っ張る。この引っ張り操作により、第１並列群２１を構成する被梱包物１２の左右方向の隙間を小さくし、好ましくは完全に隙間を埋める。
【００３６】
次に、図７に示されるように、第２並列群２２を構成する７つの被梱包物１２を、折り返したフィルム１３（即ち、第２部３２）の上に乗せる。第２並列群２２を構成する被梱包物１２は、右端の被梱包物１２ｃを除き、第１並列群２１の２つの被梱包物１２の間に配置される。その後、フィルム１３を折り返し、矢印Ｂの方向（左方向）にフィルム１３を強く引っ張る。なお、被梱包物１２ｃが柱６３に当接していれば、被梱包物１２ｃの脱落の抑制が容易になる。
【００３７】
第３並列群２３も、図７と同様の操作を左右逆に行うことで第３部３３上に配置される。このような操作を第４並列群２４及び第５並列群２５でも繰り返し、複数の並列群を、その間にフィルム１３を挟むようにパレット１１上に配置する。
【００３８】
その後、図８に示されるように、少なくとも１周以上、ストレッチフィルムロール７１を複数の被梱包物１２の側面に巻きまわす。これにより、図１に示されるような被覆部１４が形成される。被覆部１４は、複数の被梱包物１２の上下方向の高さ全域に亘って巻き付けられている。しかしながら、上下方向の高さ全域に亘って巻きつけられている構成に限定されず、上下方向の一部の範囲において巻きつけられていてもよい。
【００３９】
［３．考案の効果］
以上詳述した実施形態によれば、以下の効果が得られる。
（３ａ）梱包体１は、複数の被梱包物１２を、パレット１１上で長手方向を揃えて積上げることができる。そのため、被梱包物１２を井桁状に積上げる場合と比較して、梱包体１をコンパクトに構成することができる。これにより、梱包体１の搭載効率や収納効率を向上できる。例えば、仮に被梱包物１２の長さが１．６ｍであったとすると、梱包体１は１．１ｍ×１．６ｍの大きさになる。この場合、車幅２．４ｍのトラックやコンテナに２列並べることができる。
【００４０】
また帯状のフィルム１３の折り返し部３７によって複数の並列群の端部の一方が覆われているため、被梱包物１２が外側に移動してしまうことを抑制でき、その結果、長手方向を揃えて積上げた被梱包物１２が崩れてしまうことを抑制できる。また、フィルム１３を被梱包物１２それぞれに巻きつける必要がないので、比較的簡便に梱包体１を作成できる。
【００４１】
（３ｂ）折り返し部３７は、複数の並列群の積み上げ順に左右交互に配置されているため、フィルム１３をいわゆるつづら折状に配置して、フィルム１３を効率よく利用することができる。
【００４２】
（３ｃ）梱包体１では、第５並列群２５の上に被梱包物１２は配置されず、上部には突出した部分がない。そのため、第５並列群２５の上をフラットな面のように見做すことができ、別の物品を配置することができる。したがって、搬送時にスペースを効率よく利用することができる。
【００４３】
（３ｄ）梱包体１は、被覆部１４によって側面が覆われているため、被梱包物１２が崩れることを抑制できる。また被覆部１４はフィルム１３と一体であるため、部品点数の削減が可能となる。
【００４４】
（３ｅ）梱包体１では、被梱包物１２ｃ、被梱包物１２ｄ、被梱包物１２ｅ、及び被梱包物１２ｆが、下方の並列部よりも交差方向の外側にはみ出した状態となっている。そのため、上側に位置する並列群ほど含まれる被梱包物１２の数が減少してしまうことを抑制できる。すなわち、積上げられた複数の被梱包物１２を正面から見たときに、上側が小さい三角形（ピラミッド型）や台形状になる積上げ方に限らず、例えば略矩形になるように積上げることが可能となる。その結果、パレットの上部の空間を効率的に使用することができる。
【００４５】
（３ｆ）梱包体１では、フィルム１３と、第１並列群２１の端部を構成する被梱包物１２ａと、がフィルム１３を巻きつけることにより連結されている。そのため、第１並列群２１を構成する被梱包物１２が分離してしまったり、フィルム１３が脱落してしまったりすることを抑制できる。
【００４６】
［４．その他の実施形態］
以上本考案の実施形態について説明したが、本考案は、上記実施形態に何ら限定されることはなく、本考案の技術的範囲に属する限り種々の形態をとり得ることはいうまでもない。
【００４７】
（４ａ）上記実施形態では、同一形状の複数の被梱包物１２をパレット１１に積上げる構成を例示した。しかしながら、複数の被梱包物のうち、一つ以上が他の被梱包物とは異なる形態であってもよい。例えば、図９に示されるように、並列群８１は他の並列群よりも直径の小さい被梱包物を含む構成であってもよいし、並列群８２のように、直径の異なる複数の被梱包物を含む構成であってもよい。また複数の被梱包物は、長さが異なる被梱包物を含んでいてもよい。
【００４８】
また、並列群を構成する被梱包物は、必ずしも厳密に水平方向に並ぶものでなくてもよい。すなわち並列群は、全体として水平方向に広がりを有するように被梱包物が並ぶ集合体を構成していればよい。
【００４９】
（４ｂ）上記実施形態では、フィルム１３は、被梱包物１２の長手方向の中央に１つ配置される構成を例示した。しかしながら、フィルム１３の配置される長手方向の位置は特に限定されず、中央からずれた位置であってもよい。また、長手方向に位置をずらして複数のフィルム１３が用いられていてもよい。
【００５０】
（４ｃ）上記実施形態では、被覆部１４によって梱包体１の側面が被覆される構成を例示したが、被覆部１４を有さない構成であってもよい。
（４ｄ）上記実施形態では、複数の並列群に含まれる被梱包物１２の数が同一である構成を例示した。しかしながら、一部又は全部の並列群に含まれる被梱包物１２の数が異なっていてもよい。その場合、梱包体１を正面から見て略矩形にならないように、例えば、三角形や台形になるように被梱包物１２が積上げられていてもよい。
【００５１】
（４ｅ）上記実施形態では、第５並列群２５の上に被梱包物１２が配置されていないことで、さらに上に物品を配置できる梱包体１を例示した。しかしながら、最も上方に位置する並列群の上に、並列群を構成しない被梱包物が配置されていてもよい。
【００５２】
なお、例えば、複数の被梱包物のうち、上端部が最も上方に位置する被梱包物が、最も上方に位置する並列群を構成する被梱包物のうちの少なくとも１つである場合に、容易に並列群の上に物品を配置することができる。
【符号の説明】
【００５３】
１…梱包体、１１…パレット、１２，１２ａ，１２ｂ，１２ｃ，１２ｄ，１２ｅ，１２ｆ…被梱包物、１３…フィルム、１４…被覆部、２１…第１並列群、２２…第２並列群、２３…第３並列群、２４…第４並列群、２５…第５並列群、３１…第１部、３２…第２部、３３…第３部、３４…第４部、３５…第５部、３６…第６部、３７…折り返し部、６１…サポート部材、６２…ベース、６３…柱、７１…ストレッチフィルムロール、８１，８２…並列群
【図１】
0003226523.tif 000003
【図２】
0003226523.tif 000004
【図３】
0003226523.tif 000005
【図４】
0003226523.tif 000006
【図５】
0003226523.tif 000007
【図６】
0003226523.tif 000008
【図７】
0003226523.tif 000009
【図８】
0003226523.tif 000010
【図９】
0003226523.tif 000011